(57)【要約】      （修正有）【課題】使用時に最も使用しやすい高さの状態で使用でき、使用しないときには、松葉杖の高さを最も短くすることができる、持ち運びに便利な松葉杖を提供する。【解決手段】第１の中空状支持体３の内側に同軸で内蔵されている中空状支持体１１の頂部に回動可能に直接固定されている脇保持部１が、松葉杖の使用時の高さで固定されており、前記第１の中空状支持体３の別の側には、第２の中空状支持体４に連絡する連絡部分５が設けられている。前記連絡部分５の端部には、頂部に手の握り部２が固定して設けられている第２の中空状支持体４が接続される。中空状支持体の連絡部分５の端部及びこれに続く部分の内部には、別の中空状支持体９が同軸で挿入貫通されて配置され、各部分には係止め手段が配置されている。【選択図】図１
0003184184.tif 000002
【実用新案登録請求の範囲】
【請求項１】
一本の中空状支持体の頂部には、前記一本の中空状支持体の内側に同軸で内蔵されている中空状支持体を介して回動可能に直接固定されている脇保持部が、松葉杖の使用者の脇下から地面又は床面の高さに固定されて設けられており、前記一本の中空状支持体の頂部と反対側には、他の一本の中空状支持体に連絡する連絡部分が設けられている一本の中空状支持体、及び前記連絡部分の端部には、頂部に手の握り部が固定して設けられている他の一本の中空状支持体が接続され、前記一本の中空状支持体の前記連絡部分の端部及びこれに続く部分の内部には、中空状支持体が同軸で挿入貫通されて配置され、地面又は床面と接触する端部には係止部が設置され、前記一本の中空状支持体の高さは、一本の中空状支持体及び他の一本の中空状支持体に連絡する連絡部分の端部、及び内側に中空状支持体が同軸に内蔵されている他の一本の中空状支持体に設けられている部位には係止部が配置されていることを特徴とする松葉杖。
【請求項２】
前記連絡部分の端部及びこれに続く部分は、他の一本の中空状支持体に連絡する連絡部分が設けられている一本の中空状支持体より他の中空状支持体に連絡する連絡部分が下方側の方向に曲げて延設されていることを特徴とする請求項1記載の松葉杖。
【請求項３】
前記一本の中空状支持体の頂部には、一本の中空状支持体に内側に同軸で内蔵する中空状支持体により直接固定されている脇保持部は、松葉杖の使用者の脇下から地面又は床面の高さに固定して設けられている位置より脇保持部を押し下げる際に、円周方向に回動させ、一方頂部に手の握り部が固定して設けられている他の一本の中空状支持体上昇させると同時に内側に中空状支持体が同軸に内蔵されている他の一本の中空状支持体部分を上昇させることにより、脇保持部と手の握り部が同一平面に並ぶように配置し、松葉杖の高さを最も短くすることができることを特徴とする松葉杖。
【考案の詳細な説明】
【技術分野】
【０００１】
本考案は、従来短縮可能であるとされていた範囲を超えて最も短縮することができるようにし、持ち運びに便利な形態とした松葉杖に関する考案である。
【背景技術】
【０００２】
骨折等により足を負傷し、通常の歩行が困難であるときには、松葉杖を歩行補助具として用いて、患足の足にかかる負担をできるだけ軽減させて歩行する。
松葉杖の形状は以下の構造のものが一般的に知られている（図８）。
二本の支持棒２７の部分は一本の棒状体２８に接続している。棒状体の端には係止部２６が設けられている。杖本体は、上部が二本の支持棒２７により形成される。二本の支持棒２７の上端部には脇保持部２１を備えており、これにより前記二本の支持棒２７の位置を固定する。脇保持部２１は人の脇程度の高さに固定し、使用者の脇を脇保持部２１に当てて、脇保持部により人を安定に支える。この場合に、脇保持部２１の下に設けられている手の握り部２２を手でつかむ。その結果、松葉杖は脇保持部２１および手の握り部２２により松葉杖の使用者を安定に支えることができる。二本の支持棒に形成される構造部分は、脇保持部２１及び手の握り部２２をしっかりと固定する役割を果たしている。この部分は高さ及び横幅を伸縮できる構造になって設けられている。松葉杖では棒状体２６は一本とすることが通例である。一本の棒状体２８の部分は松葉杖の脚部に相当する。この部分は二本の状態で形成するより一本の棒状体として使用することが便利である、着地するときに一本の棒状体として使用することにより、同時に二本の支持体を着地させること注意を払う必要もなく、歩行には便利である。仮に、この部分が二本の支持棒２７により形成されているとすれば、同時に全体を一平面状に着地させることは困難となる。
松葉杖の使用者の身長に応じて松葉杖の脇保持部の高さを調節することが、しばしば必要とされる。使用者の高さに応じて松葉杖を変化させて使用するのであれば、最初に高さを固定した状態で使用する。松葉杖を使用しない場合、たとえば、交通機関を利用している場合や、室内にいるときなどには、松葉杖の高さを短縮するなどして、場所または占める空間を少なくするなどの工夫が必要となる。このための対策として、一本の棒体の部分に注目し、この棒体の部分を二重構造として伸縮する構造として止め部分を設けて固定化することが一般的であった（特許文献１  特開２００４−１７４０６１号公報、特許文献２  特開平９−２８５５１０号公報、特許文献３  特開２００８−１４２２５１号公報、特許文献４  特開２００３−２８４７５１号公報、  特許文献５  特公平２−５７４２７号公報など）。
これらは確かに便利ではあるものの、短縮できる部分が限定されるので、現状では短縮したことによる高さは十分でない場合があり、もっと便利であることが要求されることが少なくない。又、従来側面を短縮する工夫は行われていないので、この点に対する要望もあった。
【０００３】
本考案は、使用時でない場合には、従来にない手段を採用して、脇保持部と手の握り部が同一平面に並ぶように配置し、松葉杖の高さを最も短くすることができる、持ち運びに便利な松葉杖が必要とされていることを見出した。
【先行技術文献】
【特許文献】
【０００４】
【特許文献１】特開２００４−１７４０６１号公報
【特許文献２】特開平０９−２８５５１０号公報
【特許文献３】特開２００８−１４２２５１号公報
【特許文献４】特開２００３−２８４７５１号公報
【特許文献５】特公平２−５７４２７号公報
【特許文献６】特開２００７−１４３９５号公報
【特許文献７】特開２０００−３０８５０７号公報
【特許文献８】特開２００３−１６９７０５号公報
【考案の概要】
【考案が解決しようとする課題】
【０００５】
本考案が解決しようとする課題は、松葉杖に関し、通常の使用時に使用者が最も使用しやすい高さの状態で使用でき、使用しないときには、脇保持部と手の握り部が同一平面に並ぶように配置し、松葉杖の高さを従来の松葉杖に比較して最も短くすることができる、持ち運びに便利な、従来にない構造の松葉杖を提供することである。
【課題を解決するための手段】
【０００６】
本考案者らは前記課題を解決すべく以下の検討を行った。
（１）従来知られている松葉杖の伸縮自在にする部分は、二本の中空状棒状体から続く一本の棒状体の部分の長さを調節することに限られていたことは既に述べたとおりである。この一本の棒状体の内側に同軸の半径が短い棒状体が挿入されて設けられている。一本の棒状体および内側の同軸の棒状体を短縮したい長さとして、一本の棒状体の内側に同軸の短い半径の棒状体が挿入されて設けられており、その状態で固定手段により固定することにより松葉杖が短い状態とすることができる。内側の同軸の短い半径の棒状体を、一本の棒状体より引き延ばした状態で固定すると、その結果、松葉杖の使用者の身長及び松葉杖を使用しやすい状態に応じて松葉杖の高さを調節することができる。この状態とすると、通常の利用時の高さとして使用できる。
この松葉杖の高さを持ち運びに便利なように調節することは、考えていない。持ち運びに便利なように調節するために十分な長さとすることには無理だからである。
（２）従来以上の長さに短縮したいときには、その頂部が脇保持部分の松葉杖の部分と、その下の手の握り部分の松葉杖の部分を独立させて設置できる状態とすれば、その頂部が脇保持部として固定されている部分をその下の手の握り部の高さにまで押し下げることにより、従来以上に松葉杖の高さを従来以上の調節が可能なると考えられる。
（３）本考案者は、一本の中空状支持体の内部に他の一本の中空状支持体を貫通させて挿入して配置し、一本の中空状支持体を高い位置として固定部材により固定する。他の一本の中空状支持体の高さを引き下げることにより、松葉杖の高さを最も高い状態とすることができる松葉杖の構造を考案した。
固定手段を設置する部位を変更することにより、松葉杖の高さを意図する高さに調節することができる。
（４）一本の中空状支持体の内側に同軸の状態の一本の中空状支持体内部に他の一本の中空状支持体を貫通させて挿入して配置し、一本の中空状支持体を低い位置として固定部材により固定する。また、他の一本の中空状支持体の高さを引きあげる状態として固定部材により固定する。その結果、松葉杖の高さを最も低い状態とすることができ、持ち運びに便利な松葉杖である。
（５）前記（３）および（４）については以下の構造とすることにより可能となった。
ａ  一本の中空状支持体の頂部には、前記一本の中空状支持体の内側に同軸で内蔵されている中空状支持体を介して回動可能に直接固定されている脇保持部が、松葉杖の使用者の脇下から地面又は床面の高さに固定されて設けられており、前記一本の中空状支持体の頂部と反対側には、他の一本の中空状支持体に連絡する連絡部分が設けられている一本の中空状支持体、及び前記連絡部分の端部には、頂部に手の握り部が固定して設けられている他の一本の中空状支持体が接続され、前記一本の中空状支持体の前記連絡部分の端部及びこれに続く部分の内部には、中空状支持体が同軸で挿入貫通されて配置され、地面又は床面と接触する端部には係止部が設置され、前記一本の中空状支持体の高さは、一本の中空状支持体及び他の一本の中空状支持体に連絡する連絡部分の端部、及び内側に中空状支持体が同軸に内蔵されている他の一本の中空状支持体に設けられている部位には係止部が設置されている松葉杖である（図１、図４）。
ｂ  前記連絡部分の端部及びこれに続く部分は、他の一本の中空状支持体に連絡する連絡部分が設けられている一本の中空状支持体より他の中空状支持体に連絡する連絡部分が下方側の方向に曲げて延設されている前記ａ記載の松葉杖である。
ｃ  前記一本の中空状支持体の頂部には、一本の中空状支持体に内側に同軸で内蔵する中空状支持体により直接固定されている脇保持部は、松葉杖の使用者の脇下から地面又は床面の高さに固定して設けられている位置より脇保持部を押し下げる際に、円周方向に回動させ、一方頂部に手の握り部が固定して設けられている他の一本の中空状支持体上昇させると同時に内側に中空状支持体が同軸に内蔵されている他の一本の中空状支持体部分を上昇させることにより、脇保持部と手の握り部が同一平面に並ぶように配置し、松葉杖の高さを最も短くすることができる松葉杖である（図２、３、５）。
前記一本の中空状支持体の頂部には、一本の中空状支持体に内側に同軸で内蔵する中空状支持体により直接固定されている脇保持部は、松葉杖の使用者の脇下から地面又は床面の高さに固定して設けておいて、前記脇保持部を押し下げる際に、円周方向に回動させることにより、脇保持部も一本の中空状支持体の周囲を移動させ、手の握り部と重なることを回避し、脇保持部と手の握り部が同一平面になることにより一本の中空状支持体の高さを低くすることができる松葉杖をえることができる。この状態とすることにより、松葉杖を用いない場合では低い状態で、必要とする空間が少ない状態とすることができる。松葉杖を使用しない場合にはもっとも小型化できるので、使用する際に便利である。
【考案の効果】
【０００７】
本考案は、一本の中空状支持体の頂部には脇保持部が、松葉杖の使用者の脇下から地面又は床面の高さに固定して設けられている一本の中空状支持体とし、頂部に手の握り部が固定して設けられている他の一本の中空状支持体が同軸で内部に挿入貫通して設けられ、頂部に手の握り部が固定して設けられている。他の一本の中空状支持体と一本の中空状の支持体が固定手段により松葉杖を適切な高さに固定することにより松葉杖の高さ及び側面が調節できる。また、前記他の一本の中空状支持体の地面又は床面と接触する端部に、係止部が設置されることは、他の一本の中空状支持体内側に、地面や床面に接する方向より地面又は床面と接する固定された端部を有する中空状支持体を挿入し、松葉杖の適切な高さとして、適切とされる位置を係止手段により固定することにより松葉杖の高さを調節することができる新規な構造の松葉杖を得ることができる。上記の構造とすることにより松葉杖の高さを従来にない高さに縮小することが可能であり、従来必要とされてきた、高さが縮小された松葉杖を得ることができる。
【図面の簡単な説明】
【０００８】
【図１】本考案の松葉杖の構造を示す図である。
【図２】本考案の松葉杖が短縮された構造を示す図である。
【図３】一本の中空状支持体頂部の脇保持部及び他の一本の中空状支持体頂部の手の握り部が同一平面に並んでいる状態を示す図である。
【図４】本考案の松葉杖の構造として松葉杖使用時の高さが最も高い状態の一例を示す図である。
【図５】本考案の松葉杖の構造として松葉杖使用時の高さが最も低い状態の一例を示す図である。
【図６】係止手段を配置する穴を示す図であり、上部は横に伸びた穴部を示す図であり、下部は下の部分に設ける穴を示す図である。
【図７】係止部に設ける係止手段を設置した状態を示す図である。
【図８】従来の松葉杖を示す図である。
【考案を実施するための形態】
【０００９】
図１を用いて本考案の松葉杖の使用時の状態である背の高い状態の場合を説明する。
一本の中空状支持体３の頂部には、前記一本の中空状支持体の内側に同軸で内蔵されている中空状支持体１１を介して脇保持部１が取り付けられている。この状態では、脇保持部１は回動できるように取り付けられる。松葉杖の使用者の脇下の高さに、脇保持部は、松葉杖の使用者の脇下から地面又は床面の高さに固定することができる。前記一本の中空状支持体の頂部と反対側には、他の一本の中空状支持体に連絡する連絡部分５が設けられている一本の中空状支持体が配置されている。地面又は床面と接触する端部には係止部８が配置される。他の一本の中空状支持体の下部と係止部８の間には、地面や床面に接する方向より地面又は床面又は床面と接する固定された端部を有する中空状支持体を内蔵している部分９があり、地面や床面に接する方向より地面又は床面又は床面と接する固定された端部を有する中空状支持体１０が同軸で挿入貫通されて配置され、地面又は床面と接触する端部には係止部が配置される。
一本の中空状支持体３の垂直部分には係止手段を配置されるＡ及び連絡部分５に配置されるＢがある。前記連絡部分の端部およびこれに続く前記一本の中空状支持体の部分であり、上下に移動可能であり、前記一本の中空状支持体には、前記他の一本の中空状支持体の両者を固定する係止手段が配置されており、係止手段を特定の位置に配置することにより、高さの調節が可能となる。Ａの最も下の部分に係止手段を配置することし、Ｂの係止手段を最も高い位置に配置することにより、松葉杖を高い状態に保つことができる。
他の一本の中空状支持体と他の一本の中空状中空状支持体内側には、同軸の他の一本の中空状支持体が配置されており、Ｃの部分の係止手段を最も高い位置で係止させると、松葉杖は最も高い高さとすることができる。
【００１０】
図２を用いて松葉杖の高さが低い場合について説明する。
一本の中空状支持体の頂部には、前記一本の中空状支持体の内側に同軸で内蔵されている中空状支持体を介して直接固定されている脇保持部が、松葉杖の使用者の脇下から地面又は床面の高さに係止されている状態から、脇保持部をできるだけ引き下げる状態とする（図２）。
これと同時に、手の握り部が固定して設けられている他の一本の中空状支持体の前記脇保持部を、前記手の握り部の位置まで引き上げる（図２）。この場合に、他の一本の中空状支持体の下の部分を上に引き上げることが有効である。図５に示されている。脇保持部と手の握り部を同じ高さに調節し、両者が重なり合うことを避けるために脇保持部を回動させる（図３）。
図２又は図５に示されている松葉杖の状態から明らかなように、中空状支持体の前記脇保持部を一本の中空状支持体の高さにまでできるだけ低くすること、これと同時に、手の握り部が固定して設けられている他の一本の中空状支持体の引き上げる（図２、図５）。この状態で係止する。Ｃの係止部分は低い状態で係止する。
その結果、従来は、図1で示された松葉杖は、図２及び図５に示されるように、一本の中空状支持体による部分が、棒状の曲がった状態で残されていた形状の部分を介して、他の一本の中空状支持体の形状の部分を押し上げられる結果となり、安定した四辺形を形成することができる。その結果、安定した運搬に適した松葉杖の高さとすることができる。
【００１１】
本考案で前記の特徴点を実現できたことは、前記一本の中空状支持体には他の一本の中空状支持体に連絡する連絡部分が設けられている状態の一本の中空状支持体には、一本の中空状支持体には別の他の中空状支持体に連絡する連絡部分が下方側の方向に曲げて延設されて設けられているとして、他の一本の中空状支持体と、一本の中空状支持体を組み合わせた点にある。
【００１２】
前記地面又は床面と接触する端部には係止部が設置されている他の一本の中空状支持体には、他の一本の中空状支持体内側に、地面や床面に接する方向より地面又は床面と接する固定された端部を有する中空状支持体を挿入し、松葉杖の高さを定め、位置を固定する固定手段により松葉杖の高さを調節することができる。
【００１３】
係止部分は、以下のとおりである。
係止部分は係止手段により係止されている。係止部分には、複数の穴が設けられている。係止しようとする穴の部分には、係止手段が配置されている。穴を示す図は、図６である。扁平状の穴が有効であるとされる。図７には係止手段の一例を示している。表面にあるストッパーの背後に設けられている、ばねにより係止される。ばねを利用して穴に突起部を通して固定する。
【００１４】
図１、及び４は、使用時の状態を示した最も高い場合の一例を示している。
一本の中空状支持体３と、一本の中空状支持体３に内側に同軸で内蔵する中空状支持体１１に対して係止手段を設ける穴の位置（Ａ）を低い状態として、中空状支持体３の高さを調節することができる。この場合に、前記一本の中空状支持体３のＡの穴部を最も下の位置とすると共に、他の一本の中空状支持体の前記穴部Ｂを最も低い位置として固定し、次の固定手段を設ける穴の位置を低い位置Ｃとすることにより、松葉杖を使用するときの状態から、保管に便利な状態とすることができる。
手の握り部までの高さを８９０ｍｍの高さにすることができ、松葉杖全体として１２５０~１３５０ｍｍ迄の範囲に調節できる。具体的には人の高さに対応できる状態となる。
松葉杖を最も低くした場合の一例を示している。この場合は交通機関などに持ち込んで、他の人の邪魔にならない程度までにする場合の形態を示している。
【００１５】
本考案の特徴である最も短縮された状態の松葉杖の状態を図２及び図５を示している。一本の中空状支持体３と、一本の中空状支持体３の内側に同軸で内蔵する中空状支持体１１に対して固定手段の穴（Ａ）の位置を高い状態に変更して、中空状支持体３の高さを低い状態の調節ができる。固定手段Ｂの係止手段を最も下の位置とする。次の係止手段を最も低い位置のＣとする。脇保持部１及び手の握り部２が同じ高さで並ぶために、両者は角度をつける（約２０度）の位置に保つことにより、最も高さを低い状態とすることができる。そのときの高さは６１０ｍｍ程度とすることができる。中空状支持体３及び中空状支持体４の間隔は１００ｍｍであり、持ち運びに際して他の人又は他の人の荷物の邪魔になることもない。手の握り部と重なることを回避し、脇保持部と手の握り部が同一平面になることようにすることができる。
前記の連絡部分の横方向の長さは、脇保持部１の長さと同じ又はこれより短くする。連絡部分の長さが不必要に長くすると、松葉杖を不安定するばかりでなく、利用者にとっても利用し難い結果となる。一本の中空状支持体には他の一本の中空状支持体に連絡する連絡部分が設けられており、一本の中空状支持体には別の他の中空状支持体に連絡部分５は下方に曲げて延設されて設けられている。
【００１６】
以上の構造の場合はもっとも短縮できる松葉杖の構造体である。
最も伸ばした状態の一例を示すと１２５０〜１３５０ｍｍとなる。
日本人の標準を述べているものであり、この範囲内であれば、適宜変更可能である。
最も短縮した状態は図５に示されている。６１０ｍｍである、最も伸ばした状態の半分程度である。
【符号の説明】
【００１７】
１：脇保持部
２：手の握り部
３：一本の中空状支持体の頂部には、一本の中空状支持体の内側に同軸で内蔵する中空状支持体を介して直接固定されている脇保持部が、松葉杖の使用者の脇下から地面又は床面の高さに固定して設けられており、同時に他の一本の中空状支持体に連絡する連絡部分が設けられている一本の中空状支持体
４：一本の中空状支持体の前記連絡部分の端部及びこれに続く部分に同軸で内部に挿入貫通して配置され、地面又は床面と接触する端部には係止部が設置されている他の一本の中空状支持体
５：中空状支持体と別に他の一本の中空状支持体に連絡する連絡部分
６：連絡部分の端部
７：端部およびこれに続く一本の中空状支持体の内部に、頂部に手の握り部が固定して設けられている他の一本の中空状支持体が、同軸で内部に挿入貫通して設けられている部分
８：地面又は床面と接触する端部に設けられている係止部
９：他の一本の中空状支持体内側に、地面や床面に接する方向より地面又は床面又は床面と接する固定された端部を有する中空状支持体の部分
１０：他の一本の中空状支持体内側に、地面や床面に接する方向より地面又は床面又は床面と接する固定された端部を有する中空状支持体を内蔵している部分
１１：一本の中空状支持体の内側に同軸で内蔵する中空状支持体であり、脇指示部を直接固定する中空状支持体
Ａ，Ｂ，：前記連絡部分の端部およびこれに続く前記一本の中空状支持体は上下に移動可能であり、前記一本の中空状支持体には、前記他の一本の中空状支持体の両者を固定する固定手段が配置され、前記一本の中空状支持体の高さが固定されている部分
Ｃ：地面又は床面と接触する端部には係止部が設置されている他の一本の中空状支持体と、他の一本の中空状中空状支持体内側に、地面や床面に接する方向より地面又は床面と接する固定された端部を有する中空状支持体により構成される、固定手段により両者を固定する松葉杖の高さを定める部分
２１：従来の松葉杖の脇保持部
２２：従来の松葉杖の手の握り部  
２６：係止部
２７：二本の支持棒  
２８：棒状体    
【図１】
0003184184.tif 000003
【図２】
0003184184.tif 000004
【図３】
0003184184.tif 000005
【図４】
0003184184.tif 000006
【図５】
0003184184.tif 000007
【図６】
0003184184.tif 000008
【図７】
0003184184.tif 000009
【図８】
0003184184.tif 000010
【手続補正書】
【提出日】平成24年12月7日(2012.12.7)
【手続補正１】
【補正対象書類名】実用新案登録請求の範囲
【補正対象項目名】全文
【補正方法】変更
【補正の内容】
【実用新案登録請求の範囲】
【請求項１】
連結部材とからなる松葉杖であって、前記第１の中空状支持体に接続されている連結部材の端部および端部に接続されている第１の中空状支持体の内側を貫通して設けられている、頂部に手の握り部が設けられている前記第２の中空状支持体が、前記頂部に設けられている手の握り部付近で、第１の中空状支持体の連結部材の端部に接続され、第１の中空状支持体の上部に設けられている係止部を選択して、貫通した第２の中空状支持体の上部に固定手段により固定されて、貫通した第２の中空状支持体の下部に設けられている係止部を選択して、貫通した第２の中空状支持体の内側に端部より挿入されて、端部に係止手段部を有する中空状支持体の上部に固定手段により固定され、前記第１の中空状支持体の頂部の脇保持部が、前記第１の中空状支持体の内側に同軸で内蔵されている中空状支持体に回動可能に直接固定されており、第１の中空状支持体の上部に設けられている係止部を選択して、前記第１の中空状支持体の内側に同軸で内蔵されている中空状支持体の下部に固定手段により固定されることを特徴とする松葉杖。
【請求項２】
前記第１の中空状支持体に続く連絡部分の端部に接続する第１の中空状支持体は、下方向に曲げて延設されていることを特徴とする請求項1記載の松葉杖。
【請求項３】
前記第２の中空状支持体が、前記頂部に設けられている手の握り部付近で、第１の中空状支持体の連結部材の端部と連結され、貫通した第２の中空状支持体の端部の内側に配置されている中空状支持体に設けられている下部の係止部を選択し、貫通した第２の中空状支持体の下部に固定手段により固定され、貫通した第２の中空状支持体の下部に設けられている係止部を選択して、貫通した第２の中空状支持体の内側に端部より挿入される、端部に係止手段を有する中空状支持体の下部に固定手段により固定されていることにより、前記第２の中空状支持体を上方に引き上げるともに、前記第１の中空状支持体の頂部に脇保持部が、前記第１の中空状支持体の内側に同軸で内蔵されている中空状支持体に回動可能に直接固定されており、第１の中空状支持体の下部に設けられている係止部を選択して、前記第１の中空状支持体の内側に同軸で内蔵されている上部の中空状支持体に固定手段により固定され、前記第１の中空状支持体の内側に同軸で内蔵されている中空状支持体を低い状態に引き下げることにより、前記第１の中空状支持体の頂部の脇保持部を回動させることにより、前記第１の中空状支持体の頂部の脇保持部と、前記第２の中空状支持体を上方に引き上げられた頂部に手の握り部が同一平面となることを特徴とする松葉杖。
【手続補正２】
【補正対象書類名】明細書
【補正対象項目名】全文
【補正方法】変更
【補正の内容】
【考案の詳細な説明】
【技術分野】
【０００１】
本考案は、従来短縮可能であるとされていた範囲を超えて最も短縮することができるようにし、持ち運びに便利な形態とした松葉杖に関する考案である。
【背景技術】
【０００２】
骨折等により足を負傷し、通常の歩行が困難であるときには、松葉杖を歩行補助具として用いて、患足の足にかかる負担をできるだけ軽減させて歩行する。
松葉杖の形状は以下の構造のものが一般的に知られている（図８）。
二本の支持棒２７の部分は一本の棒状体２８に接続している。棒状体の端には係止部２６が設けられている。杖本体は、上部が二本の支持棒２７により形成される。二本の支持棒２７の上端部には脇保持部２１を備えており、これにより前記二本の支持棒２７の位置を固定する。脇保持部２１は人の脇程度の高さに固定し、使用者の脇を脇保持部２１に当てて、脇保持部により人を安定に支える。この場合に、脇保持部２１の下に設けられている手の握り部２２を手でつかむ。
その結果、松葉杖は脇保持部２１および手の握り部２２により松葉杖の使用者を安定に支えることができる。二本の支持棒に形成される構造部分は、脇保持部２１及び手の握り部２２をしっかりと固定する役割を果たしている。この部分は高さ及び横幅を伸縮できる構造になって設けられている。松葉杖では棒状体２６は一本とすることが通例である。一本の棒状体２８の部分は松葉杖の脚部に相当する。この部分は二本の状態で形成するより一本の棒状体として使用することが便利である、着地するときに一本の棒状体として使用することにより、同時に二本の支持体を着地させること注意を払う必要もなく、歩行には便利である。仮に、この部分が二本の支持棒２７により形成されているとすれば、同時に全体を一平面状に着地させることは困難となる。
松葉杖の使用者の身長に応じて松葉杖の脇保持部の高さを調節することが、しばしば必要とされる。使用者の高さに応じて松葉杖を変化させて使用するのであれば、最初に高さを固定した状態で使用する。松葉杖を使用しない場合、たとえば、交通機関を利用している場合や、室内にいるときなどには、松葉杖の高さを短縮するなどして、場所または占める空間を少なくするなどの工夫が必要となる。このための対策として、一本の棒体の部分に注目し、この棒体の部分を二重構造として伸縮する構造として止め部分を設けて固定化することが一般的であった（特許文献１  特開２００４−１７４０６１号公報、特許文献２  特開平９−２８５５１０号公報、特許文献３  特開２００８−１４２２５１号公報、特許文献４  特開２００３−２８４７５１号公報、  特許文献５  特公平２−５７４２７号公報など）。これらは確かに便利ではあるものの、短縮できる部分が限定されるので、現状では短縮したことによる高さは十分でない場合があり、もっと便利であることが要求されることが少なくない。又、従来側面を短縮する工夫は行われていないので、この点に対する要望もあった。
【０００３】
本考案は、使用時でない場合には、従来にない手段を採用して、脇保持部と手の握り部が同一平面に並ぶように配置し、松葉杖の高さを最も短くすることができる、持ち運びに便利な松葉杖が必要とされていることを見出した。
【先行技術文献】
【特許文献】
【０００４】
【特許文献１】特開２００４−１７４０６１号公報
【特許文献２】特開平０９−２８５５１０号公報
【特許文献３】特開２００８−１４２２５１号公報
【特許文献４】特開２００３−２８４７５１号公報
【特許文献５】特公平２−５７４２７号公報
【特許文献６】特開２００７−１４３９５号公報
【特許文献７】特開２０００−３０８５０７号公報
【特許文献８】特開２００３−１６９７０５号公報
【考案の概要】
【考案が解決しようとする課題】
【０００５】
本考案が解決しようとする課題は、松葉杖に関し、通常の使用時に使用者が最も使用しやすい高さの状態で使用でき、使用しないときには、脇保持部と手の握り部が同一平面に並ぶように配置し、松葉杖の高さを従来の松葉杖に比較して最も短くすることができる、持ち運びに便利な、従来にない構造の松葉杖を提供することである。
【課題を解決するための手段】
【０００６】
本考案者らは前記課題を解決すべく以下の検討を行った。
（１）従来知られている松葉杖の伸縮自在にする部分は、二本の中空状棒状体から続く一本の棒状体の部分の長さを調節することに限られていたことは既に述べたとおりである。この一本の棒状体の内側に同軸の半径が短い棒状体が挿入されて設けられている。一本の棒状体および内側の同軸の棒状体を短縮したい長さとして、一本の棒状体の内側に同軸の短い半径の棒状体が挿入されて設けられており、その状態で固定手段により固定することにより松葉杖が短い状態とすることができる。内側の同軸の短い半径の棒状体を、一本の棒状体より引き延ばした状態で固定すると、その結果、松葉杖の使用者の身長及び松葉杖を使用しやすい状態に応じて松葉杖の高さを調節することができる。この状態とすると、通常の利用時の高さとして使用できる。
この松葉杖の高さを持ち運びに便利なように調節することは、考えていない。持ち運びに便利なように調節するために十分な長さとすることは無理だからである。
（２）従来以上の長さに短縮したいときには、その頂部が脇保持部分の松葉杖の部分と、その下の手の握り部分の松葉杖の部分を独立させて移動可能に設置できる状態とすれば、その頂部が脇保持部として固定されている部分をその下の手の握り部の高さにまで押し下げることにより、従来以上に松葉杖の高さを従来以上の調節が可能なると考えられる。
（３）本考案者は、第１の中空状支持体の内部に第２の一本の中空状支持体を貫通させて挿入して配置し、第１の中空状支持体を高い位置となる係止部を選択し、固定部材により固定する。第１の一本の中空状支持体の高さを引き下げることにより、松葉杖の高さを最も高い状態とすることができる松葉杖の構造を考案した。
固定手段を設置する部位を変更することにより、松葉杖の高さを意図する高さに調節することができる。
（４）第１の中空状支持体の内側に同軸の設けられている中空状支持体に続く連結部材、これに続く第１の中空状支持体の内側に第２の中空状支持体を貫通させて挿入して配置し、第1の中空状支持体を低い位置として固定部材により固定する。また、第２の中空状支持体の高さを引きあげる状態として係止部を選択し、固定部材により固定する。その結果、松葉杖の高さを最も低い状態とすることができ、持ち運びに便利な松葉杖である。
（５）前記（３）および（４）については以下の構造とすることにより可能となった。
ａ連結部材とからなる松葉杖であって、前記第１の中空状支持体に接続されている連結部材の端部および端部に接続されている第１の中空状支持体の内側を貫通して設けられている、頂部に手の握り部が設けられている前記第２の中空状支持体が、前記頂部に設けられている手の握り部付近で、第１の中空状支持体の連結部材の端部に接続され、第１の中空状支持体の上部に設けられている係止部を選択して、貫通した第２の中空状支持体の上部に固定手段により固定されて、貫通した第２の中空状支持体の下部に設けられている係止部を選択して、貫通した第２の中空状支持体の内側に端部より挿入されて、端部に係止手段部を有する中空状支持体の上部に固定手段により固定され、前記第１の中空状支持体の頂部の脇保持部が、前記第１の中空状支持体の内側に同軸で内蔵されている中空状支持体に回動可能に直接固定されており、第１の中空状支持体の高部に設けられている係止部を選択して、前記第１の中空状支持体の内側に同軸で内蔵されている中空状支持体の下部に固定手段により固定されることを特徴とする松葉杖。（図１、図４）。
ｂ前記連絡部分及びこれに続く第１の中空状支持体は、下方側の方向に曲げて延設されている松葉杖。
ｃ    
前記第２の中空状支持体が、前記頂部に設けられている手の握り部付近で、第１の中空状支持体の連結部材の端部と連結され、貫通した第２の中空状支持体の端部の内側に配置されている中空状支持体に設けられている下部の係止部を選択し、貫通した第２の中空状支持体の下部に固定手段により固定され、貫通した第２の中空状支持体の下部に設けられている係止部を選択して、貫通した第２の中空状支持体の内側に端部より挿入される、端部に係止手段を有する中空状支持体の下部に固定手段により固定されていることにより、前記第２の中空状支持体を上方に引き上げるともに、前記第１の中空状支持体の頂部に脇保持部が、前記第１の中空状支持体の内側に同軸で内蔵されている中空状支持体に回動可能に直接固定されており、第１の中空状支持体の下部に設けられている係止部を選択して、前記第１の中空状支持体の内側に同軸で内蔵されている上部の中空状支持体に固定手段により固定され、前記第１の中空状支持体の内側に同軸で内蔵されている中空状支持体を低い状態に引き下げることにより、前記第１の中空状支持体の頂部の脇保持部を回動させることにより、前記第１の中空状支持体の頂部の脇保持部と、前記第２の中空状支持体を上方に引き上げられた頂部に手の握り部が同一平面となることを特徴とする松葉杖。
【考案の効果】
【０００７】
本考案は、第１の中空状支持体と、第２の中空状支持体と、第１中空状支持体に設けられている連結部材とからなる松葉杖であって、前記第１の中空状支持体に接続されている連結部材の端部および端部に接続されている第１の中空状支持体の内側を貫通して設けられている、頂部に手の握り部が設けられている前記第２の中空状支持体が、前記頂部に設けられている手の握り部付近で、第１の中空状支持体と連結され、貫通した第２の中空状支持体の端部の内側に同軸に配置されている中空状支持体の端部に係止部が設置されており、前記第１の中空状支持体に続く連絡部分の端部に接続する第１の中空状支持体及び前記第２の中空状支持体には、第１の中空状支持体及び前記第２の中空状支持体の高さを調節できる固定手段が設けられており、前記第１の中空状支持体の頂部に脇保持部が、前記第１の中空状支持体の内側に同軸で内蔵されている中空状支持体を介して回動可能に直接固定されており、第１の中空状支持体の高さを調節できる複数の固定手段が、第１の中空状支持体に設けられている松葉杖である。
上記の構造とすることにより松葉杖の高さを従来にない高さに縮小することが可能であり、従来必要とされてきた、高さが縮小された松葉杖を得ることができる。
【図面の簡単な説明】
【０００８】
【図１】本考案の松葉杖の構造を示す図である。
【図２】本考案の松葉杖が短縮された構造を示す図である。
【図３】第１の中空状支持体頂部の脇保持部及び第２の中空状支持体頂部の手の握り部が同一平面に並んでいる状態を示す図である。
【図４】本考案の松葉杖の構造として松葉杖使用時の高さが最も高い状態の一例を示す図である。
【図５】本考案の松葉杖の構造として松葉杖の使用時の高さが最も低い状態の一例を示す図である。
【図６】固定手段により固定する係止部の穴を示す図であり、上部は横に伸びた係止部の穴を示す図であり、下部は下の係止部の穴を示す図である。
【図７】係止部に設ける固定手段を設置した状態を示す図である。
【図８】従来の松葉杖を示す図である。
【考案を実施するための形態】
【０００９】
図１を用いて本考案の松葉杖の使用時の状態である背の高い状態の場合を説明する。
第１の中空状支持体３の頂部には、前記第１の中空状支持体の内側に同軸で内蔵されている中空状支持体１１を介して脇保持部１が保持固定されている。この状態では、脇保持部１は回動できるように取り付けられる。以下に述べる第１の中空状支持体、第２の中空支持体のＡ、ＢおよびＣの部位に設置する係止部を選択して固定手段により固定することにより、本考案の松葉杖の使用時の状態である背の高い状態とすることができる。松葉杖の使用者の脇下の高さに応じて、脇保持部は、松葉杖の使用者の脇下から地面又は床面の高さに固定することができる。前記第１の中空状支持体の頂部に対して、第２の中空状支持体に連絡する連絡部材５及び連絡部材部材に続いて第１の中空状支持体が配置されている。地面又は床面と接触する端部には係止部８が配置される。第２の中空状支持体の下部と係止部８の間には、第２の中空状支持体の端部の内側に同軸に配置されている中空状支持体９の端部に係止部８が設置されている。地面や床面に接する方向より地面又は床面又は床面と接する固定された係止部８を有する中空状支持体を内蔵している部分９があり、地面や床面に接する方向より地面又は床面又は床面と接する固定された係止部を有する中空状支持体１０が同軸で挿入されて配置されている。
第1の中空状支持体３の垂直部分Ａには係止手段が配置される。また、中空状支持体３の垂直部分に続いて連絡部材５及び第1の中空状支持体が接続されており、中空状支持体Ｂの部分には、係止手段が配置される。係止手段を選択することにより、高さの調節が可能となり、上下に移動可能となる。前記連絡部材の端部およびこれに続く前記第１の中空状支持体の部分であり、前記一本の中空状支持体には、前記第２の中空状支持体の両者を固定する係止部が設けられており、係止手段を特定の位置に配置することにより、高さの調節が可能となる。Ａの最も下の部分に係止手段を配置し、Ｂの最も高い位置に係止手段を配置することにより、松葉杖を高い状態に保つことができる。
第1の中空状支持体と第２の中空支持体が接続されており、第２の中空支持体には、内側の端部より中空支持体が挿入され、Ｃの部分を形成している。Ｃの部分の最も高い位置に係止手段により配置すると、松葉杖を高い状態に保つことができる。
具体的には、以下の通りである。
連結部材とからなる松葉杖であって、前記第１の中空状支持体に接続されている連結部材の端部および端部に接続されている第１の中空状支持体の内側を貫通して設けられている、頂部に手の握り部が設けられている前記第２の中空状支持体が、前記頂部に設けられている手の握り部付近で、第１の中空状支持体の連結部材の端部に接続され、第１の中空状支持体の上部に設けられている係止部を選択して、貫通した第２の中空状支持体の高部に固定手段により固定されて、貫通した第２の中空状支持体の下部に設けられている係止部を選択して、貫通した第２の中空状支持体の内側に端部より挿入されて、端部に係止手段部を有する中空状支持体の上部に固定手段により固定され、前記第１の中空状支持体の頂部の脇保持部が、前記第１の中空状支持体の内側に同軸で内蔵されている中空状支持体に回動可能に直接固定されており、第１の中空状支持体の高部に設けられている係止部を選択して、前記第１の中空状支持体の内側に同軸で内蔵されている中空状支持体の下部に固定手段により固定される松葉杖。
【００１０】
図２を用いて松葉杖の高さが低い場合について説明する。
第１の中空状支持体の内側に同軸で内蔵されている中空状支持体を介して直接固定されている脇保持部が、松葉杖の使用者の脇下から地面又は床面の高さに固定されている状態から、係止手段の位置を引き下げる状態とする（図２）。
これと同時に、手の握り部が固定して設けられている第２の中空状支持体の前記脇保持部を、前記手の握り部の位置まで引き上げる（図２）。この場合に、第２の一本の中空状支持体の下の部分を上に引き上げることが有効である。図５に示されている。脇保持部と手の握り部を同じ高さに調節し、両者が重なり合うことを避けるために脇保持部を回動させる（図３）。
図２又は図５に示されている松葉杖の状態から明らかなように、中空状支持体の前記脇保持部を一本の中空状支持体の高さにまで、できるだけ低くすること、これと同時に、手の握り部が固定して設けられている第２の中空状支持体の引き上げる（図２、図５）。この状態で係止する。Ｃの係止部は低い状態を選択して固定手段により固定する。
その結果、従来は、図1で示された松葉杖は、図５に示されるように、一本の中空状支持体による部分が、棒状の曲がった状態で残されていた形状の部分を介して、他の一本の中空状支持体の形状の部分を押し上げられる結果となり、安定した四辺形を形成することができる。その結果、安定した運搬に適した松葉杖の高さとすることができる。
具体的には以下の通りである。
前記第２の中空状支持体が、前記頂部に設けられている手の握り部付近で、第１の中空状支持体の連結部材の端部と連結され、貫通した第２の中空状支持体の端部の内側に配置されている中空状支持体に設けられている下部の係止部を選択し、貫通した第２の中空状支持体の下部に固定手段により固定され、貫通した第２の中空状支持体の下部に設けられている係止部を選択して、貫通した第２の中空状支持体の内側に端部より挿入される、端部に係止手段を有する中空状支持体の下部に固定手段により固定されていることにより、前記第２の中空状支持体を上方に引き上げるともに、前記第１の中空状支持体の頂部に脇保持部が、前記第１の中空状支持体の内側に同軸で内蔵されている中空状支持体に回動可能に直接固定されており、第１の中空状支持体の下部に設けられている係止部を選択して、前記第１の中空状支持体の内側に同軸で内蔵されている上部の中空状支持体に固定手段により固定され、前記第１の中空状支持体の内側に同軸で内蔵されている中空状支持体を低い状態に引き下げることにより、前記第１の中空状支持体の頂部の脇保持部を回動させることにより、前記第１の中空状支持体の頂部の脇保持部と、前記第２の中空状支持体を上方に引き上げられた頂部に手の握り部が同一平面となる松葉杖。
【００１１】
本考案で前記の特徴点を実現できたことは、前記第1の中空状支持体に、中空状支持体に連絡する連絡部材が設けられており、これに続いて中空状支持体には、一本の中空状支持体には別の他の中空状支持体に連絡する連絡部分が下方側の方向に曲げて延設されて設けられているとして、他の一本の中空状支持体と、一本の中空状支持体を組み合わせた点にある。
【００１２】
前記地面又は床面と接触する端部には係止部が設置されている第２の中空状支持体には、第２の中空状支持体内側に、地面や床面に接する方向より地面又は床面と接する固定された端部を有する中空状支持体を挿入し、松葉杖の高さを定め、位置を固定する固定手段により松葉杖の高さを調節することができる。
【００１３】
係止部は、以下のとおりである。
複数の係止部から選択した係止部に固定手段により固定して固定する。係止部には、複数の穴が設けられている。係止しようとする部分は穴の部分には、固定手段が配置されている。穴を示す図は、図６である。扁平状の穴が有効であるとされる。図７には係止手段の一例を示している。表面にあるストッパーの背後に設けられている、ばねにより係止される。ばねを利用して穴に突起部を通して固定する。
【００１４】
図１、及び４は、使用時の状態を示した最も高い場合の一例を示している。
一本の中空状支持体３と、一本の中空状支持体３に内側に同軸で内蔵する中空状支持体１１に対して固定手段を設ける係止部の穴の位置（Ａ）を低い係止部の穴を選択することにより、中空状支持体３の高さを調節することができる。この場合に、前記一本の中空状支持体３のＡの穴部を最も下の位置とすると共に、他の一本の中空状支持体の前記係止部を最も低い位置として固定し、次の固定手段を設ける係止部の位置を低い位置Ｃとすることにより、松葉杖を使用するときの状態から、保管に便利な状態とすることができる。
手の握り部までの高さを８９０ｍｍの高さにすることができ、松葉杖全体として１２５０〜１３５０ｍｍ迄の範囲に調節できる。具体的には人の高さに対応できる状態となる。
松葉杖を最も低くした場合の一例を示している。この場合は交通機関などに  持ち込んで、他の人の邪魔にならない程度までにする場合の形態を示している。
【００１５】
本考案の特徴である最も短縮された状態の松葉杖の状態を図５は示している。一本の中空状支持体３と、一本の中空状支持体３の内側に同軸で内蔵する中空状支持体１１に対して係止部の穴（Ａ）を高い位置にある係止部に変更して、中空状支持体３の高さを低い状態にすることができる。Ｂにある係止部を最も低い係止部を選択して固定手段により最も下の位置に固定する。次にＣにある最も低い係止部を選択して固定手段により固定する。脇保持部１及び手の握り部２が同じ高さで並ぶために、両者は角度をつける（約２０度）の位置に保つことにより、最も高さを低い状態とすることができる。そのときの高さは６１０ｍｍ程度とすることができる。中空状支持体３及び中空状支持体４の間隔は１００ｍｍであり、持ち運びに際して他の人又は他の人の荷物の邪魔になることもない。手の握り部と重なることを回避し、脇保持部と手の握り部が同一平面になることようにすることができる。
前記の連絡部分の横方向の長さは、脇保持部１の長さと同じ又はこれより短くする。連絡部分の長さが不必要に長くすると、松葉杖を不安定するばかりでなく、利用者にとっても利用し難い結果となる。一本の中空状支持体には他の一本の中空状支持体に連絡する連絡部分が設けられており、一本の中空状支持体には別の他の中空状支持体に連絡部分５は下方に曲げて延設されて設けられている。
【００１６】
以上の構造の場合はもっとも短縮できる松葉杖の構造体である。
最も伸ばした状態の一例を示すと１２５０〜１３５０ｍｍとなる。
日本人の標準を述べているものであり、この範囲内であれば、適宜変更可能である。
最も短縮した状態は図５に示されている。６１０ｍｍである、最も伸ばした状態の半分程度である。
【符号の説明】
【００１７】
１：脇保持部
２：手の握り部
３：第１の中空状支持体の頂部には、一本の中空状支持体の内側に同軸で内蔵する中空状支持体を介して直接固定されている脇保持部が、松葉杖の使用者の脇下から地面又は床面の高さに固定して設けることができるものであり、同時に第２の中空状支持体に連絡する連絡部材が設けられている第１の中空状支持体
４：第1の中空状支持体の前記連絡部分の端部及びこれに続く部分に同軸で内部に挿入貫通して配置され、地面又は床面と接触する端部には係止部が設置されている第２の中空状支持体
５：第1の中空状支持体に設けられている第２の中空状支持体に連絡する連絡  部材
６：連絡部材の端部
７：端部およびこれに続く第１の中空状支持体の内側を貫通して、頂部に手の握り部が固定して設けられている第２の中空状支持体が、内部に挿入貫通して設けられている部分
８：地面又は床面と接触する端部に設けられている係止手段
９：第２の一本の中空状支持体内側に、地面や床面に接する方向より地面又は床面又は床面と接する固定された端部を有する中空状支持体
１０：第２の中空状支持体内側に、地面や床面に接する方向より地面又は床面又は床面と接する固定された端部を有する中空状支持体を内蔵している部分
１１：第１の中空状支持体の内側に同軸で内蔵する中空状支持体であり、脇指示部を直接固定する中空状支持体
Ａ、Ｂ、：前記連絡部分の端部およびこれに続く前記第１の中空状支持体は上下に移動できる部分であり、設けられている係止部を選択して固定手段を用いて固定できる部分である。前記第１の中空状支持体および前記第２の中空状支持体には、固定手段が配置されている。固定手段を設置する係止部を選択することにより第1及び第２の中空状支持体の高さが調節できる。
Ｃ：地面又は床面と接触する端部には係止部が設置されている第２の中空状支持体と、第２の中空状中空状支持体内側に、地面や床面に接する方向より地面又は床面と接する固定された端部を有する中空状支持体により構成される。設けられている固定手段により松葉杖の高さを定めることができる。
２１：従来の松葉杖の脇保持部
２２：従来の松葉杖の手の握り部  
２６：係止手段
２７：二本の支持棒  
２８：棒状体    
【手続補正書】
【提出日】平成25年5月5日(2013.5.5)
【手続補正１】
【補正対象書類名】実用新案登録請求の範囲
【補正対象項目名】全文
【補正方法】変更
【補正の内容】
【実用新案登録請求の範囲】
【請求項１】
頂部に回動可能に固定される脇保持部を有する中空状支持体を、使用者の脇保持部の位置に合わせて、前記頂部に回動可能に固定される脇保持部を有する中空状支持体を固定する手段により、第１の中空状支持体の内側に同軸で固定し、前記中空状支持体を内側に内蔵している部分に続いて設置されている第１の中空状支持体の連絡部分の端部の内側に、頂部の手の握り部を使用者の握り部の位置に合致して配置している第２の中空状支持体を導入して、第１の中空状支持体と第２の中空状支持体を結合し、第１の中空状支持体の連結部分に続く第１の中空状支持体の末端部の内側から分離された第２の中空状支持体に、前記第１の中空状支持体の連結部分に続く末端部に設けられている、前記第２の中空状支持体の位置を調節する手段により、第２の中空状支持体を固定し、次の第２の中空状支持体には、第２の中空状支持体の内側に同軸の中空状支持体を固定する手段により、第２の中空状支持体の端部で同軸の内側の中空状支持体を固定して、中空状支持体の末端部に係止部を有している中空状支持体を同軸に延設して設けていることを特徴とする松葉杖。
【請求項２】
前記第１の中空状支持体の連絡部分は、下方の側方向に曲げて延設され、延設された連絡部分の端部は、下方向に曲げて延設されていることを特徴とする請求項1記載の松葉杖。
【請求項３】
前記頂部に回動可能に固定される脇保持部を有する中空状支持体を、頂部に回動可能に固定される脇保持部を回動させて引き下げて、前記頂部に回動可能に固定される脇保持部を有する中空状支持体を固定する手段により、第１の中空状支持体を内側に同軸で固定し、一方、前記中空状支持体を内側に内蔵している部分に続いて設置されている第１の中空状支持体の連絡部分の端部に、頂部に手の握り部を使用者の握り部の位置に合致して配置している第２の中空状支持体を導入している前記第１の中空状支持体の連結部分に続く末端部に存在する、前記第２の中空状支持体の位置を調節する手段により、頂部に手の握り部を配置している第２の中空状支持体を引き上げて、前記回動可能に固定される脇保持部と手の握り部が同じ高さで並列した状態として、次の第２の中空状支持体には、第２の中空状支持体の内側に同軸の中空状支持体を固定する前記中空状支持体の長さを調節する手段により、第２の中空状支持体の端部の内側に、末端部に係止部を有する中空状支持体を同軸に内蔵させ固定していることを特徴とする松葉杖。
【手続補正２】
【補正対象書類名】明細書
【補正対象項目名】０００６
【補正方法】変更
【補正の内容】
【０００６】
本考案者らは前記課題を解決すべく以下の検討を行った。
（１）従来知られている松葉杖は使用者の背の高さに応じて伸縮することが行なわれているものの、二本の中空状支持体の間に間隔を狭められた状態で、配置されている一本の中空状支持体に設けられている係止手段の位置を選択するなどして、伸縮することが行われてきた。
一本の中空状支持体に設けられている係止手段の位置を選択することによっては、調節できる範囲は使用者の身長に応じて変更するなどの調節できる範囲が短いものに限定されており、使用者の身長差の変化を超えて、持ち運びに便利な状態の範囲に調整するなどの拡大する調節は行われてこなかったと考えられる。
（２）従来以上の長さを短縮したいときには、松葉杖の頂部にある脇保持部分と、その下の手の握り部分は、固定された状態となっており、この部分を短くすることは、行なわれていない。従来用いられてきた図８に示される一般的に広く使用されている松葉杖を見れば、以上のことは明らかである。
（３）持ち運びに便利な状態の範囲に調整する場合には、従来調整が行なわれていない
松葉杖の頂部にある脇保持部分とその下の手の握り部分の間隔を狭めることが必要であることがわかる。
松葉杖の頂部にある脇保持部分の固定は、二本の中空状支持体間に挟まれて固定されている。これ以上に短い松葉杖として、持ち運びに便利な状態にするには、松葉杖の頂部にある脇保持部分とその下の手の握り部分の関係を一定とせず、一本の中空状支持体に脇保持部を固定し、他の一本の中空状支持体に手握り部を固定するなどの工夫が必要であることが分かる。
そこで、二本の中空状支持体の部分の一方の頂部の脇保持部の高さを変更出来るようにして設けることとし、脇保持部の変更に応じて手の握り部分を設けるようにする。松葉杖の高さの変更は、脇保持部や手の握り部以外の中空状支持体の高さを変更させることにより行うことができるようにする。
前記の脇保持部を支える中空状支持体と手の握り部分を支える中空状支持体とに分けることにより、脇保持部及び手の握り部分の取り扱いは、使用者の意図に応じて可能となるので、従来の松葉杖と比較して良好なものとなる。
（３）使用時の長く伸びた松葉杖は以下の通りである。
（ア）頂部に回動可能に固定される脇保持部を有する中空状支持体を、使用者の脇保持部の位置に合わせて、前記頂部に回動可能に固定される脇保持部を有する中空状支持体を固定する手段により、第１の中空状支持体を内側に同軸で固定する。
頂部に回動可能に固定される脇保持部を有する中空状支持体を、使用者の脇保持部の位置に合わせて、前記頂部に回動可能に固定される脇保持部を有する中空状支持体を固定する手段により、第１の中空状支持体を内側に同軸で固定するので、頂部に回動可能に固定される脇保持部を有する中空状支持体は最も長い状態となっている。
（イ）前記中空状支持体を内側に内蔵している部分に続いて設置されている第１の中空状支持体の連絡部分の端部の内側に、頂部の手の握り部を使用者の握り部の位置に合致して配置している第２の中空状支持体を導入して、第１の中空状支持体と第２の中空状支持体を結合し、第１の中空状支持体の連結部分に続く第１の中空状支持体の末端部の内側から分離された第２の中空状支持体に、前記第１の中空状支持体の連結部分に続く末端部に設けられている、前記第２の中空状支持体の位置を調節する手段により、第２の中空状支持体を固定する。
第１の中空状支持体の連結部分に続く第１の中空状支持体の末端部の内側から分離された第２の中空状支持体は、前記第１の中空状支持体の連結部分に続く末端部に設けられている、前記第２の中空状支持体の位置を調節する手段により第２の中空状支持体の長さは、脇保持部と最も長い状態で固定されている。
（ウ）次の第２の中空状支持体には、第２の中空状支持体の内側で同軸の中空状支持体を固定する手段により、次の第２の中空状支持体には、第２の中空状支持体の内側に同軸の中空状支持体を固定する手段により、第２の中空状支持体の端部で同軸の内側の中空状支持体を固定して、中空状支持体の末端部に係止部を有している中空状支持体を同軸に延設して設けていることを特徴とする松葉杖。
その結果、中空状支持体を長い状態で固定している。
（エ）以上の（ア）、（イ）及び（ウ）の結果から、第１の中空状支持体及び第２の中空状支持体は最も長い状態で固定されていることが分かる。
（４）使用時の輸送に便利な状態とすることは、以下の通りとすることで達成される。
（ア）前記頂部に回動可能に固定される脇保持部を有する中空状支持体を、頂部に回動可能に固定される脇保持部を回動させて引き下げて、前記頂部に回動可能に固定される脇保持部を有する中空状支持体を固定する手段により、第１の中空状支持体を内側に同軸で固定する。これは、以下の（イ）の状態と合わせて以下の結果が得られる。
その結果、頂部に回動可能に固定される脇保持部を回動させて引き下げた分だけ、短くすることが可能となる。どの程度引き下げることができるかは、頂部に手の握り部を配置している第２の中空状支持体を引き上げて、脇保持部と手の握り部を並列できる高さとすることに依存する。運搬に便利なスペースを作り出すことは、頂部に回動可能に固定される脇保持部を回動させて引き下げた分と頂部に手の握り部を配置している第２の中空状支持体を引き上げて、脇保持部と手の握り部を並列できる高さと一致させることにより形成され体積とすることが体積を最も小さい体積とすることができるので有効となる。
（イ）一方、前記中空状支持体を内側に内蔵している部分に続いて設置されている第１の中空状支持体の連絡部分の端部に、頂部に手の握り部を使用者の握り部の位置に合致して配置している第２の中空状支持体を導入している前記第１の中空状支持体の連結部分に続く末端部に存在する、前記第２の中空状支持体の位置を調節する手段により、頂部に手の握り部を配置している第２の中空状支持体を引き上げて、前記回動可能に固定される脇保持部と手の握り部が同じ高さで並列した状態とする。
この結果、前記（ア）で述べた結果を達成できて、運搬に便利な状態とすることができる。
（ウ）次の第２の中空状支持体には、第２の中空状支持体の内側に同軸の中空状支持体を固定する前記中空状支持体の長さを調節する手段により、第２の中空状支持体の端部の内側に、末端部に係止部を有する中空状支持体を同軸に内蔵させ固定していることを特徴とする松葉杖。
最終段階で、末端部に係止部を有する中空状支持体を第２の中空状支持体の端部に同軸に内蔵している松葉杖を得る事ができるので、第２の中第２の中空状支持体には中空状支持体を短い状態とした、運搬に便利な松葉杖を得る事ができる。
（エ）前記（３）では長くすることができる松葉杖の（ア）、（イ）及び（ウ）の部分を短くすることにより運搬に便利な松葉杖を得る事ができる。
【手続補正３】
【補正対象書類名】明細書
【補正対象項目名】０００９
【補正方法】変更
【補正の内容】
【０００９】
図１を用いて本考案の松葉杖の使用時の状態である背の高い状態について説明する。
頂部に回動可能に固定される脇保持部１を有する中空状支持体１１を、使用者の脇保持部の位置に合わせて、前記頂部に回動可能に固定される脇保持部１を有する中空状支持体を固定する手段Ａにより、第１の中空状支持体の内側に同軸で固定し、前記中空状支持体を内側に内蔵している部分に続いて設置されている第１の中空状支持体の連絡部分５の端部６の内側に、頂部の手の握り部２を使用者の握り部の位置に合致して配置している第２の中空状支持体４を導入して、第１の中空状支持体と第２の中空状支持体を結合し、第１の中空状支持体の連結部分に続く第１の中空状支持体の末端部７の内側から分離された第２の中空状支持体４に、前記第１の中空状支持体の連結部分に続く末端部７に設けられている、前記第２の中空状支持体の位置を調節する手段Ｂにより、第２の中空状支持体１０を固定し、次の第２の中空状支持体には、第２の中空状支持体の内側に同軸の中空状支持体を固定する手段Ｃにより、第２の中空状支持体の端部で同軸の内側の中空状支持体を固定して、中空状支持体の末端部に係止部８を有している中空状支持体９を同軸に延設して設けていることを特徴とする松葉杖。
図４を用いて本考案の松葉杖の使用時の状態である背の高い状態について説明する。
頂部に回動可能に固定される脇保持部１を有する中空状支持体を、使用者の脇保持部の位置に合わせて、前記頂部に回動可能に固定される脇保持部１を有する中空状支持体を固定する手段Ａにより、第１の中空状支持体３の内側に同軸で固定し、前記中空状支持体を内側に内蔵している部分に続いて設置されている第１の中空状支持体３の連絡部分の端部の内側に、頂部に手の握り部２を配置している第２の中空状支持体４を導入して、第１の中空状支持体３と第２の中空状支持体４を結合し、第１の中空状支持体の連結部分に続く第１の中空状支持体の末端部の内側から分離された第２の中空状支持体４を、前記第１の中空状支持体の連結部分に続く末端部に設けられている、前記第２の中空状支持体４の位置を調節する手段Ｂにより第２の中空状支持体を固定し、次に、第２の中空状支持体には、第２の中空状支持体の内側に同軸の中空状支持体を固定する前記中空状支持体の長さを調節する手段Ｃが設けられており、中空状支持体５を長い状態で固定し、第２の中空状支持体の端部に、第２の中空状支持体の末端部の係止部８となる中空状支持体を同軸に内蔵していることを特徴とする松葉杖。
【手続補正４】
【補正対象書類名】明細書
【補正対象項目名】００１０
【補正方法】変更
【補正の内容】
【００１０】
図２を用いて、使用時の輸送に便利な状態とすることとした一部の状態について説明する。前記頂部に回動可能に固定される脇保持部１を有する中空状支持体を、頂部に回動可能に固定される脇保持部１を回動させて引き下げて、前記頂部に回動可能に固定される脇保持部１を有する中空状支持体を固定する手段Ａにより、第１の中空状支持体を内側に同軸で固定する。次に、前記中空状支持体を内側に内蔵している部分に続いて設置されている第１の中空状支持体の連絡部分５の端部６の内側に、頂部に手の握り部２を配置している第２の中空状支持体４を引き上げた状態として、前記第１の中空状支持体の連結部分に続く末端部７に設けられている、前記第２の中空状支持体の位置を調節する手段Ｂにより第２の中空状支持体４（断面１０）を固定し、前記回動可能に固定される脇保持部１と手の握り部２を並列した状態とする。
その結果、その結果、頂部に回動可能に固定される脇保持部を回動させて引き下げた分だけ、短くすることが可能となる。どの程度引き下げることができるかは、頂部に手の握り部を配置している第２の中空状支持体を引き上げて、脇保持部と手の握り部を並列できる高さとすることに依存する。運搬に便利なスペースを作り出すことは、頂部に回動可能に固定される脇保持部を回動させて引き下げた分と頂部に手の握り部を配置している第２の中空状支持体を引き上げて、脇保持部と手の握り部を並列できる高さと一致させることにより形成され体積とすることが体積を最も小さい体積とすることができるので有効となる。
この状態にすることにより使用時の輸送に便利な状態とすることとした一部の状態とすることができる。
図５を用いて、使用時の最も輸送に便利な状態とした場合について述べる。
前記頂部に回動可能に固定される脇保持部１を有する中空状支持体３を、頂部に回動可能に固定される脇保持部１を回動させて引き下げて、前記頂部に回動可能に固定される脇保持部２を有する中空状支持体を固定する手段Ａにより、第１の中空状支持体を内側に同軸で固定し、前記中空状支持体を内側に内蔵している部分に続いて設置されている第１の中空状支持体の連絡部分の端部の内側に、頂部に手の握り部２を配置している第２の中空状支持体を引き上げた状態として、前記第１の中空状支持体の連結部分に続く末端部に設けられている、前記第２の中空状支持体の位置を調節する手段Ｂにより第２の中空状支持体の長さを短い状態で固定し、前記回動可能に固定される脇保持部と手の握り部が並列した状態として、次に、第２の中空状支持体には、第２の中空状支持体の内側に同軸の中空状支持体を固定する前記中空状支持体の長さを調節する手段Ｃにより、中空状支持体を短い状態で固定し、第２の中空状支持体の端部に、第２の中空状支持体の末端部の係止部となる中空状支持体を同軸に内蔵していることを特徴とする松葉杖。
【手続補正５】
【補正対象書類名】図面
【補正対象項目名】全図
【補正方法】変更
【補正の内容】
【図１】
0003184184.tif 000011
【図２】
0003184184.tif 000012
【図３】
0003184184.tif 000013
【図４】
0003184184.tif 000014
【図５】
0003184184.tif 000015
【図６】
0003184184.tif 000016
【図７】
0003184184.tif 000017
【図８】
0003184184.tif 000018
【手続補正書】
【提出日】平成25年5月7日(2013.5.7)
【手続補正１】
【補正対象書類名】実用新案登録請求の範囲
【補正対象項目名】全文
【補正方法】変更
【補正の内容】
【実用新案登録請求の範囲】
【請求項１】
頂部に回動可能に固定される脇保持部を有する中空状支持体を、使用者の脇保持部の位置に合わせて、前記頂部に回動可能に固定される脇保持部を有する中空状支持体を固定する手段により、第１の中空状支持体の内側に同軸で固定し、前記中空状支持体を内側に内蔵している部分に続いて設置されている第１の中空状支持体の連絡部分の端部の内側に、頂部の手の握り部を使用者の握り部の位置に合致して配置している第２の中空状支持体を導入して、第１の中空状支持体と第２の中空状支持体を結合し、第１の中空状支持体の連結部分に続く第１の中空状支持体の末端部の内側から分離された第２の中空状支持体に、前記第１の中空状支持体の連結部分に続く末端部に設けられている、前記第２の中空状支持体の位置を調節する手段により、第２の中空状支持体を固定し、次の第２の中空状支持体には、第２の中空状支持体の内側に同軸の中空状支持体を固定する手段により、第２の中空状支持体の端部で同軸の内側の中空状支持体を固定して、中空状支持体の末端部に係止部を有している中空状支持体を同軸に延設して設けていることを特徴とする松葉杖。
【請求項２】
前記第１の中空状支持体の連絡部分は、下方の側方向に曲げて延設され、延設された連絡部分の端部は、下方向に曲げて延設されていることを特徴とする請求項1記載の松葉杖。
【請求項３】
前記頂部に回動可能に固定される脇保持部を有する中空状支持体を、頂部に回動可能に固定される脇保持部を回動させて引き下げて、前記頂部に回動可能に固定される脇保持部を有する中空状支持体を固定する手段により、第１の中空状支持体を内側に同軸で固定し、一方、前記中空状支持体を内側に内蔵している部分に続いて設置されている第１の中空状支持体の連絡部分の端部に、頂部に手の握り部を使用者の握り部の位置に合致して配置している第２の中空状支持体を導入している前記第１の中空状支持体の連結部分に続く末端部に存在する、前記第２の中空状支持体の位置を調節する手段により、頂部に手の握り部を配置している第２の中空状支持体を引き上げて、前記回動可能に固定される脇保持部と手の握り部が同じ高さで並列した状態として、次の第２の中空状支持体には、第２の中空状支持体の内側に同軸の中空状支持体を固定する前記中空状支持体の長さを調節する手段により、第２の中空状支持体の端部の内側に、末端部に係止部を有する中空状支持体を同軸に内蔵させ固定していることを特徴とする請求項１又は２記載の松葉杖。
【手続補正２】
【補正対象書類名】明細書
【補正対象項目名】０００６
【補正方法】変更
【補正の内容】
【０００６】
本考案者らは前記課題を解決すべく以下の検討を行った。
（１）従来知られている松葉杖は使用者の背の高さに応じて伸縮することが行なわれているものの、二本の中空状支持体の間に間隔を狭められた状態で、配置されている一本の中空状支持体に設けられている係止手段の位置を選択するなどして、伸縮することが行われてきた。
一本の中空状支持体に設けられている係止手段の位置を選択することによっては、調節できる範囲は使用者の身長に応じて変更するなどの調節できる範囲が短いものに限定されており、使用者の身長差の変化を超えて、持ち運びに便利な状態の範囲に調整するなどの拡大する調節は行われてこなかったと考えられる。
（２）従来以上の長さを短縮したいときには、松葉杖の頂部にある脇保持部分と、その下の手の握り部分は、固定された状態となっており、この部分を短くすることは、行なわれていない。従来用いられてきた図８に示される一般的に広く使用されている松葉杖を見れば、以上のことは明らかである。
（３）持ち運びに便利な状態の範囲に調整する場合には、従来調整が行なわれていない
松葉杖の頂部にある脇保持部分とその下の手の握り部分の間隔を狭めることが必要であることがわかる。
松葉杖の頂部にある脇保持部分の固定は、二本の中空状支持体間に挟まれて固定されている。これ以上に短い松葉杖として、持ち運びに便利な状態にするには、松葉杖の頂部にある脇保持部分とその下の手の握り部分の関係を一定とせず、一本の中空状支持体に脇保持部を固定し、他の一本の中空状支持体に手握り部を固定するなどの工夫が必要であることが分かる。
そこで、二本の中空状支持体の部分の一方の頂部の脇保持部の高さを変更出来るようにして設けることとし、脇保持部の変更に応じて手の握り部分を設けるようにする。松葉杖の高さの変更は、脇保持部や手の握り部以外の中空状支持体の高さを変更させることにより行うことができるようにする。
前記の脇保持部を支える中空状支持体と手の握り部分を支える中空状支持体とに分けることにより、脇保持部及び手の握り部分の取り扱いは、使用者の意図に応じて可能となるので、従来の松葉杖と比較して良好なものとなる。
（３）使用時の長く伸びた松葉杖は以下の通りである。
（ア）頂部に回動可能に固定される脇保持部を有する中空状支持体を、使用者の脇保持部の位置に合わせて、前記頂部に回動可能に固定される脇保持部を有する中空状支持体を固定する手段により、第１の中空状支持体を内側に同軸で固定する。
頂部に回動可能に固定される脇保持部を有する中空状支持体を、使用者の脇保持部の位置に合わせて、前記頂部に回動可能に固定される脇保持部を有する中空状支持体を固定する手段により、第１の中空状支持体を内側に同軸で固定するので、頂部に回動可能に固定される脇保持部を有する中空状支持体は最も長い状態となっている。
（イ）前記中空状支持体を内側に内蔵している部分に続いて設置されている第１の中空状支持体の連絡部分の端部の内側に、頂部の手の握り部を使用者の握り部の位置に合致して配置している第２の中空状支持体を導入して、第１の中空状支持体と第２の中空状支持体を結合し、第１の中空状支持体の連結部分に続く第１の中空状支持体の末端部の内側から分離された第２の中空状支持体に、前記第１の中空状支持体の連結部分に続く末端部に設けられている、前記第２の中空状支持体の位置を調節する手段により、第２の中空状支持体を固定する。
第１の中空状支持体の連結部分に続く第１の中空状支持体の末端部の内側から分離された第２の中空状支持体は、前記第１の中空状支持体の連結部分に続く末端部に設けられている、前記第２の中空状支持体の位置を調節する手段により第２の中空状支持体の長さは、脇保持部と最も長い状態で固定されている。
（ウ）次の第２の中空状支持体には、第２の中空状支持体の内側で同軸の中空状支持体を固定する手段により、次の第２の中空状支持体には、第２の中空状支持体の内側に同軸の中空状支持体を固定する手段により、第２の中空状支持体の端部で同軸の内側の中空状支持体を固定して、中空状支持体の末端部に係止部を有している中空状支持体を同軸に延設して設けていることを特徴とする松葉杖。
（エ）アの状態では、前記第１の中空状支持体の連絡部分は、下方の側方向に曲げて延設され、延設された連絡部分の端部は、下方向に曲げて延設されているように設定されている。
その結果、中空状支持体を長い状態で固定している。
（オ）以上の（ア）、（イ）、（エ）の結果から、第１の中空状支持体及び第２の中空状支持体は最も長い状態で固定されていることが分かる。
（４）使用時の輸送に便利な状態とすることは、以下の通りとすることで達成される。
（ア）前記頂部に回動可能に固定される脇保持部を有する中空状支持体を、頂部に回動可能に固定される脇保持部を回動させて引き下げて、前記頂部に回動可能に固定される脇保持部を有する中空状支持体を固定する手段により、第１の中空状支持体を内側に同軸で固定する。これは、以下の（イ）の状態と合わせて以下の結果が得られる。
その結果、頂部に回動可能に固定される脇保持部を回動させて引き下げた分だけ、短くすることが可能となる。どの程度引き下げることができるかは、頂部に手の握り部を配置している第２の中空状支持体を引き上げて、脇保持部と手の握り部を並列できる高さとすることに依存する。運搬に便利なスペースを作り出すことは、頂部に回動可能に固定される脇保持部を回動させて引き下げた分と頂部に手の握り部を配置している第２の中空状支持体を引き上げて、脇保持部と手の握り部を並列できる高さと一致させることにより形成され体積とすることが体積を最も小さい体積とすることができるので有効となる。
（イ）一方、前記中空状支持体を内側に内蔵している部分に続いて設置されている第１の中空状支持体の連絡部分の端部に、頂部に手の握り部を使用者の握り部の位置に合致して配置している第２の中空状支持体を導入している前記第１の中空状支持体の連結部分に続く末端部に存在する、前記第２の中空状支持体の位置を調節する手段により、頂部に手の握り部を配置している第２の中空状支持体を引き上げて、前記回動可能に固定される脇保持部と手の握り部が同じ高さで並列した状態とする。
この結果、前記（ア）で述べた結果を達成できて、運搬に便利な状態とすることができる。
（ウ）次の第２の中空状支持体には、第２の中空状支持体の内側に同軸の中空状支持体を固定する前記中空状支持体の長さを調節する手段により、第２の中空状支持体の端部の内側に、末端部に係止部を有する中空状支持体を同軸に内蔵させ固定していることを特徴とする松葉杖。
最終段階で、末端部に係止部を有する中空状支持体を第２の中空状支持体の端部に同軸に内蔵している松葉杖を得る事ができるので、第２の中第２の中空状支持体には中空状支持体を短い状態とした、運搬に便利な松葉杖を得る事ができる。
（エ）アの状態では、前記第１の中空状支持体の連絡部分は、下方の側方向に曲げて延設され、延設された連絡部分の端部は、下方向に曲げて延設されているように設定されている。
（エ）前記（３）では長くすることができる松葉杖の（ア）、（イ）、（ウ）（オ）の部分を短くすることにより運搬に便利な松葉杖を得る事ができる。
【手続補正３】
【補正対象書類名】明細書
【補正対象項目名】０００９
【補正方法】変更
【補正の内容】
【０００９】
図１を用いて本考案の松葉杖の使用時の状態である背の高い状態について説明する。
頂部に回動可能に固定される脇保持部１を有する中空状支持体１１を、使用者の脇保持部の位置に合わせて、前記頂部に回動可能に固定される脇保持部１を有する中空状支持体を固定する手段Ａにより、第１の中空状支持体の内側に同軸で固定し、前記中空状支持体を内側に内蔵している部分に続いて設置されている第１の中空状支持体の連絡部分５の端部６の内側に、頂部の手の握り部２を使用者の握り部の位置に合致して配置している第２の中空状支持体４を導入して、第１の中空状支持体と第２の中空状支持体を結合し、第１の中空状支持体の連結部分に続く第１の中空状支持体の末端部７の内側から分離された第２の中空状支持体４に、前記第１の中空状支持体の連結部分に続く末端部７に設けられている、前記第２の中空状支持体の位置を調節する手段Ｂにより、第２の中空状支持体１０を固定し、次の第２の中空状支持体には、第２の中空状支持体の内側に同軸の中空状支持体を固定する手段Ｃにより、第２の中空状支持体の端部で同軸の内側の中空状支持体を固定して、中空状支持体の末端部に係止部８を有している中空状支持体９を同軸に延設して設けていることを特徴とする松葉杖。
上記の発明では、前記第１の中空状支持体の連絡部分は、下方の側方向に曲げて延設され、延設された連絡部分の端部は、下方向に曲げて延設されている。
図４を用いて本考案の松葉杖の使用時の状態である背の高い状態について説明する。
頂部に回動可能に固定される脇保持部１を有する中空状支持体を、使用者の脇保持部の位置に合わせて、前記頂部に回動可能に固定される脇保持部１を有する中空状支持体を固定する手段Ａにより、第１の中空状支持体３の内側に同軸で固定し、前記中空状支持体を内側に内蔵している部分に続いて設置されている第１の中空状支持体３の連絡部分の端部の内側に、頂部に手の握り部２を配置している第２の中空状支持体４を導入して、第１の中空状支持体３と第２の中空状支持体４を結合し、第１の中空状支持体の連結部分に続く第１の中空状支持体の末端部の内側から分離された第２の中空状支持体４を、前記第１の中空状支持体の連結部分に続く末端部に設けられている、前記第２の中空状支持体４の位置を調節する手段Ｂにより第２の中空状支持体を固定し、次に、第２の中空状支持体には、第２の中空状支持体の内側に同軸の中空状支持体を固定する前記中空状支持体の長さを調節する手段Ｃが設けられており、中空状支持体５を長い状態で固定し、第２の中空状支持体の端部に、第２の中空状支持体の末端部の係止部８となる中空状支持体を同軸に内蔵していることを特徴とする松葉杖。
上記の発明では、前記第１の中空状支持体の連絡部分は、下方の側方向に曲げて延設され、延設された連絡部分の端部は、下方向に曲げて延設されている。
【手続補正４】
【補正対象書類名】明細書
【補正対象項目名】００１０
【補正方法】変更
【補正の内容】
【００１０】
図２を用いて、使用時の輸送に便利な状態とすることとした一部の状態について説明する。前記頂部に回動可能に固定される脇保持部１を有する中空状支持体を、頂部に回動可能に固定される脇保持部１を回動させて引き下げて、前記頂部に回動可能に固定される脇保持部１を有する中空状支持体を固定する手段Ａにより、第１の中空状支持体を内側に同軸で固定する。次に、前記中空状支持体を内側に内蔵している部分に続いて設置されている第１の中空状支持体の連絡部分５の端部６の内側に、頂部に手の握り部２を配置している第２の中空状支持体４を引き上げた状態として、前記第１の中空状支持体の連結部分に続く末端部７に設けられている、前記第２の中空状支持体の位置を調節する手段Ｂにより第２の中空状支持体４（断面１０）を固定し、前記回動可能に固定される脇保持部１と手の握り部２を並列した状態とする。
その結果、その結果、頂部に回動可能に固定される脇保持部を回動させて引き下げた分だけ、短くすることが可能となる。どの程度引き下げることができるかは、頂部に手の握り部を配置している第２の中空状支持体を引き上げて、脇保持部と手の握り部を並列できる高さとすることに依存する。運搬に便利なスペースを作り出すことは、頂部に回動可能に固定される脇保持部を回動させて引き下げた分と頂部に手の握り部を配置している第２の中空状支持体を引き上げて、脇保持部と手の握り部を並列できる高さと一致させることにより形成され体積とすることが体積を最も小さい体積とすることができるので有効となる。
この状態にすることにより使用時の輸送に便利な状態とすることとした一部の状態とすることができる。
上記の発明では、前記第１の中空状支持体の連絡部分は、下方の側方向に曲げて延設され、延設された連絡部分の端部は、下方向に曲げて延設されている。
図５を用いて、使用時の最も輸送に便利な状態とした場合について述べる。
前記頂部に回動可能に固定される脇保持部１を有する中空状支持体３を、頂部に回動可能に固定される脇保持部１を回動させて引き下げて、前記頂部に回動可能に固定される脇保持部２を有する中空状支持体を固定する手段Ａにより、第１の中空状支持体を内側に同軸で固定し、前記中空状支持体を内側に内蔵している部分に続いて設置されている第１の中空状支持体の連絡部分の端部の内側に、頂部に手の握り部２を配置している第２の中空状支持体を引き上げた状態として、前記第１の中空状支持体の連結部分に続く末端部に設けられている、前記第２の中空状支持体の位置を調節する手段Ｂにより第２の中空状支持体の長さを短い状態で固定し、前記回動可能に固定される脇保持部と手の握り部が並列した状態として、次に、第２の中空状支持体には、第２の中空状支持体の内側に同軸の中空状支持体を固定する前記中空状支持体の長さを調節する手段Ｃにより、中空状支持体を短い状態で固定し、第２の中空状支持体の端部に、第２の中空状支持体の末端部の係止部となる中空状支持体を同軸に内蔵していることを特徴とする松葉杖。
上記の発明では、前記第１の中空状支持体の連絡部分は、下方の側方向に曲げて延設され、延設された連絡部分の端部は、下方向に曲げて延設されている。
【手続補正５】
【補正対象書類名】図面
【補正対象項目名】全図
【補正方法】変更
【補正の内容】
【図１】
0003184184.tif 000019
【図２】
0003184184.tif 000020
【図３】
0003184184.tif 000021
【図４】
0003184184.tif 000022
【図５】
0003184184.tif 000023
【図６】
0003184184.tif 000024
【図７】
0003184184.tif 000025
【図８】
0003184184.tif 000026